(57)【要約】【課題】テンプルの長さの調整が可能であり、装着時において、耳に感じる痛みが少ない眼鏡フレームを提供することを課題とする。【解決手段】前枠２と、前枠２に連結されるテンプル本体３、及び、前端部から後方に延びる挿入孔４１を内側に有し、且つ、テンプル本体３の後部が挿入孔４１に前後方向移動可能に挿入される先セル部４を有するテンプル５と、前枠２と先セル部４とが前後方向に互いに引き合うように、テンプル本体３及び先セル部４を連結する弾性部材６と、テンプル本体３を先セル部４に固定して、テンプル本体３の前後方向の移動を阻止する固定部材７とを備えたことを特徴とする眼鏡フレーム１を提供する。【選択図】図１
2008129560.tif 000002
【特許請求の範囲】
【請求項１】
前枠と、
前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、
前記前枠と前記先セル部とが前後方向に互いに引き合うように、前記テンプル本体及び前記先セル部を連結する弾性部材と、
前記テンプル本体を前記先セル部に固定して、前記テンプル本体の前後方向の移動を阻止する固定部材とを備えたことを特徴とする眼鏡フレーム。
【請求項２】
前枠と、
後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、
前記前枠及び前記先セル部とが前後方向に互いに引き合うように、前記テンプル本体及び前記先セル部を連結する弾性部材と、
前記先セル部を前記テンプル本体に固定して、前記先セル部の前後方向の移動を阻止する固定部材とを備えたことを特徴とする眼鏡フレーム。
【発明の詳細な説明】
【技術分野】
【０００１】
本発明は、テンプルの長さの調整が可能な眼鏡フレームに関する。
【背景技術】
【０００２】
近年、装着者の鼻と耳との距離に応じて、テンプルの長さの調整が可能な眼鏡フレームが提案されている。かかる眼鏡フレームのテンプルは、鼻パッドが備えられた前枠に連結されたテンプル本体と、該テンプル本体の後方に取り付けられた先セル部とを備えている。テンプル本体と先セル部とは、装着時において、互いに引き合うようにバネ等の弾性部材によって連結されている。テンプル本体と先セル部とが弾性部材によって連結されることにより、テンプルの長さの調整が可能とされている。
【発明の開示】
【発明が解決しようとする課題】
【０００３】
しかしながら、眼鏡フレームの装着時において、テンプル本体と先セル部とが互いに引き合うように連結されているため、鼻パッドを鼻に当接させ、先セル部を耳の裏側に掛けて眼鏡フレームを装着すると、装着者の鼻が鼻パッドに、装着者の耳の裏側が先セル部によって押さえ付けられる。よって、テンプル本体と先セル部とが弾性部材で連結された眼鏡フレームは、装着時に耳に痛みを感じ易いという問題がある。
【０００４】
そこで、本発明は、テンプルの長さの調整が可能であり、装着時において、耳に感じる痛みの少ない眼鏡フレームを提供することを課題とする。
【課題を解決するための手段】
【０００５】
前記課題を解決するべく、本発明は、第１の手段として、前枠と、前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、前記前枠と前記先セル部とが前後方向に互いに引き合うように、前記テンプル本体及び前記先セル部を連結する弾性部材と、前記テンプル本体を前記先セル部に固定して、前記テンプル本体の前後方向の移動を阻止する固定部材とを備えたことを特徴とする眼鏡フレームを提供する。
【０００６】
第１の手段として提供される眼鏡フレームのテンプルは、テンプル本体と先セル部とを有し、先セル部は、テンプル本体が前後方向移動可能に挿入される挿入孔を有している。従って、テンプル本体と先セル部とは互いに前後方向移動可能とされている。また、テンプル本体と先セル部とは、弾性部材によって前枠と先セル部とが互いに引き合うように連結されている。従って、テンプル本体に連結された前枠は、弾性部材によってテンプル本体を介して先セル部側に、先セル部は、弾性部材によって前枠側に引っ張られる。更に、第１の手段として提供される眼鏡フレームは、テンプル本体を先セル部に固定して、テンプル本体の前後方向の移動を阻止する固定部材を備える。先セル部に対するテンプル本体の移動が阻止されると、テンプルに連結された前枠が先セル部側に、先セル部が前枠側に移動することが阻止される。よって、前枠を顔面の前面に当接させ、先セル部を耳の裏側に掛けて第１の手段として提供される眼鏡フレームを装着した後、固定部材でテンプル本体を先セル部に固定すると、前枠は、顔面に当接した状態から先セル部側に、先セル部は、耳の裏側に掛かった状態から前枠側に移動しなくなる。これにより、装着時において、前枠及び先セル部が互いに引き合うように引っ張られて移動しようとすることによって、鼻及び耳の裏側が押さえ付けられることを防止できる。そのため、第１の手段として提供される眼鏡フレームは、装着時に耳に感じる痛みが少ない。
【０００７】
また、固定部材の具体的構成として、前記固定部材は、前後方向における複数の異なる位置に設けられ、前記テンプル本体を固定するための固定部を具備する構成を挙げることができる。
【０００８】
かかる具体的構成によれば、固定部材には、前後方向における複数の異なる位置に固定部が具備されている。よって、前枠を顔面に当接させ、先セル部を耳の裏側に掛かけて眼鏡フレームを装着したときに、テンプル本体の前後位置に対応した固定部に先セル部を固定することで、前枠が顔面に当接した状態から先セル部側に、先セル部が耳の裏側に掛かった状態から前枠側に移動することを阻止することができる。
【０００９】
テンプル本体と先セル部との連結の具体的構成として、前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置する構成を挙げることができる。
【００１０】
かかる具体的構成においては、弾性部材は、装着時において、自然長より縮んだ状態でテンプル本体と先セル部とを連結している。即ち、弾性部材は、装着時において、テンプル本体の弾性部材と連結される部位と、先セル部の弾性部材と連結される部位とを離間させる伸張力を生じた状態でテンプル本体と先セル部とを連結している。そして、かかる具体的構成においては、テンプル本体の弾性部材と連結される部位が、先セル部の弾性部材と連結される部位より後方に位置している。よって、かかる具体的構成では、弾性部材の伸張力によって、テンプル本体が後方に、先セル部が前方に押圧される。テンプル本体には、前枠が連結されているため、テンプル本体を後方に、先セル部を前方に押圧すると、前枠と先セル部とは、互いに引き合うようにようになる。よって、かかる具体的構成によれば、前枠と先セル部とが互いに引き合うように、テンプル本体及び先セル部を連結することができる
【００１１】
また、テンプル本体と先セル部との連結の他の具体的構成として、前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置する構成を挙げることができる。
【００１２】
かかる具体的構成においては、弾性部材は、装着時において、自然長より伸びた状態でテンプル本体と先セル部とを連結している。即ち、弾性部材は、装着時において、テンプル本体の弾性部材と連結される部位と、先セル部の弾性部材と連結される部位とを近づける収縮力を生じた状態で、テンプル本体と先セル部とを連結している。そして、かかる具体的構成においては、テンプル本体の弾性部材と連結される部位が、先セル部の弾性部材と連結される部位より前方に位置している。よって、かかる具体的構成では、弾性部材の収縮力によって、テンプル本体が後方に、先セル部が前方に引っ張られる。テンプル本体には、前枠が連結されているため、テンプル本体を後方に、先セル部を前方に引っ張ると、前枠と先セル部とは、互いに引き合うようになる。よって、かかる具体的構成によっても、前枠と先セル部とが互いに引き合うように、テンプル本体及び先セル部を連結することができる
【００１３】
また、本発明は、前記課題を解決するべく、第２の手段として、前枠と、後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、前記前枠及び前記先セル部とが前後方向に互いに引き合うように、前記テンプル本体及び前記先セル部を連結する弾性部材と、前記先セル部を前記テンプル本体に固定して、前記先セル部の前後方向の移動を阻止する固定部材とを備えたことを特徴とする眼鏡フレームを提供する。
【００１４】
第２の手段として提供される眼鏡フレームのテンプルは、テンプル本体と先セル部とを有し、テンプル本体は、先セル部が前後方向移動可能に挿入される挿入孔を有している。従って、テンプル本体と先セル部とは互いに前後方向移動可能とされている。また、テンプル本体と先セル部とは、弾性部材によって前枠と先セル部とが互いに引き合うように連結されている。従って、テンプル本体に連結された前枠は、弾性部材によってテンプル本体を介して先セル部側に、先セル部は、弾性部材によって前枠側に引っ張られている。更に、第２の手段として提供される眼鏡フレームは、先セル部をテンプル本体に固定して、先セル部の前後方向の移動を阻止する固定部材を備える。テンプル本体に対する先セル部の移動が阻止されると、テンプルに連結された前枠が先セル部側に、先セル部が前枠側に移動することが阻止される。よって、前枠を顔面の前面に当接させ、先セル部を耳の裏側に掛けて第２の手段として提供される眼鏡フレームを装着した後、固定部材で先セル部をテンプル本体に固定すると、前枠は、顔面に当接した状態から先セル部側に、先セル部は、耳の裏側に掛かった状態から前枠側に移動しなくなる。これにより、装着時において、前枠及び先セル部が互いに引き合うように引っ張られて移動しようとすることによって、鼻及び耳の裏側が押さえ付けられることを防止できる。そのため、第１の手段として提供される眼鏡フレームと同様に、第２の手段として提供される眼鏡フレームも、装着時に耳に感じる痛みが少ない。
【００１５】
また、第２の手段として提供される眼鏡フレームの固定部材の具体的構成として、前記固定部材は、前後方向における複数の異なる位置に設けられ、前記先セル部を固定するための固定部を具備する構成を挙げることができる。
【００１６】
かかる具体的構成によれば、固定部材には、前後方向における複数の異なる位置に固定部が具備されている。よって、前枠を顔面に当接させ、先セル部を耳の裏側に掛かけて眼鏡フレームを装着したときに、先セル部の前後位置に対応した固定部に先セル部を固定すると、前枠が顔面に当接した状態から先セル部側に、先セル部が耳の裏側に掛かった状態から前枠側に移動することを阻止することができる。
【００１７】
また、第２の手段として提供される眼鏡フレームにおけるテンプル本体と先セル部との連結の具体的構成として、前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置する構成を挙げることができる。
【００１８】
かかる具体的構成は、第１の手段として提供される眼鏡フレームに係る具体的構成と同様の作用によって、前枠と先セル部とが互いに引き合うように、テンプル本体及び先セル部を連結することを実現している。
【００１９】
また、第２の手段として提供される眼鏡フレームにおけるテンプル本体と先セル部との連結の他の具体的構成として、前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置する構成を挙げることができる。
【００２０】
かかる具体的構成は、第１の手段として提供される眼鏡フレームに係る具体的構成と同様の作用によって、前枠と先セル部とが互いに引き合うように、テンプル本体及び先セル部を連結することを実現している。
【発明の効果】
【００２１】
本発明によれば、テンプルの長さの調整が可能であり、装着時において、耳に感じる痛みの少ない眼鏡フレームを提供することができる。
【発明を実施するための最良の形態】
【００２２】
（実施形態１）
図１は本実施形態に係る眼鏡フレームの外観図であり、（ａ）は側面図を、（ｂ）は平面図を示す。図１に示すように、本実施形態に係る眼鏡フレーム１は、前枠２と、前枠２に連結されるテンプル本体３、及び、前端部から後方に延びる挿入孔を内側に有し、且つ、この挿入孔にテンプル本体３が前後方向に移動可能に挿入される先セル部４を有するテンプル５とを備えている。
【００２３】
前枠２は、左右一対のレンズ２１の他、左右一対のレンズ２１を保持する左右一対のリム部２２と、左右一対のリム部２２を連結するブリッジ部２３と、左右の各リム部２２の左右方向内側に取り付けられた左右一対の鼻パット２４とを備えている。かかる前枠２の左右の各リム部２２の左右方向外側には、ヨロイ２５が連設されている。
【００２４】
テンプル５は、前述のように、テンプル本体３と先セル部４とを有している。テンプル本体３は、前端部が丁番構造２６を介してヨロイ２５に連結されている。テンプル本体３は、このように連結されることで、前枠２の後方に位置し、前枠２及びヨロイ２５に対して回動自在とされている。
【００２５】
図２はテンプル本体３と先セル部４との連結部位の拡大図であり、（ａ）は図１（ｂ）のＡ−Ａ断面図を、（ｂ）は図１（ｂ）の点線Ｐで囲まれた部位の拡大平面図を示す。図２に示すように、テンプル本体３は、細長部材３１と、この細長部材３１の後端部に取り付けられたボス部３２と、このボス部３２の上部に形成されたネジ孔３３とを備える。細長部材３１の前端部は、丁番構造２６と連結されている。ボス部３２の径（細長部材３１の長手方向と垂直方向の長さ）は、細長部材３１より大きく形成されている。
【００２６】
先セル部４は、前端部から後方に延びる前後方向に長い挿入孔４１を内側に有している。この挿入孔４１には、テンプル本体３の細長部材３１の後部及びボス部３２が前後方向に移動可能に挿入されている。挿入孔４１は、前端部が開口され、前端部において径が小さく形成されている。挿入孔４１の径は、前端部においては、細長部材３１の径より若干大きく、ボス部３２の径より小さく形成されている。挿入孔４１の前端部の径が、ボス部３２の径より小さく形成されていることで、挿入孔４１の前端部をボス部３２が通過できず、テンプル本体３が、挿通孔４１から抜けることが防止されている。また、図２（ｂ）に示すように、先セル部４は、先セル部４の上方と挿通孔４１とを連通させるスリット４２が挿通孔４１の上部に形成されている。かかるスリット４２は、挿通孔４１の前端部近傍から、挿通孔４１の後端部にかけて前後方向に長く形成されている。尚、図１（ａ）に示すように、先セル部４は、装着者の耳の裏側の下方まで回り込むような形状とされている。そのため、先セル部４が前方に引っ張られても、先セル部４は装着者の耳から前方に容易に抜けないようになっている。
【００２７】
更に、本実施形態に係る眼鏡フレーム１は、テンプル本体３を先セル部４に固定して、テンプル本体３の前後方向の移動を阻止する固定部材を備えている。本実施形態においては、図２に示すように、かかる固定部材は、雄ネジ７によって構成されている。この雄ネジ７は、頭部７１がスリット４２の上方に位置し、ネジ溝が形成された先端部７２は、スリット４２を貫通して、テンプル本体３のネジ孔３３と螺合している。雄ネジ７の先端部７２の径は、スリット４２の幅より小さく形成されている。先端部７２の径がスリット４２の幅より小さく形成されていることで、雄ネジ７は、先端部７２が螺合するネジ孔３３を有するテンプル本体３の移動に伴って、前後方向に移動することができる。また、雄ネジ７の頭部７１の径は、スリット４２の幅より大きく形成されている。よって、この雄ネジ７を締め付けると、雄ネジ７の頭部７１が先セル部４の上面を押圧することで、雄ネジ７と先セル部４とが固定され、テンプル本体３の先セル部４に対する前後方向の移動を阻止することができる。
【００２８】
また、本実施形態に係る眼鏡フレーム１は、テンプル本体３及び先セル部４を連結する弾性部材６を備える。図２（ａ）に示すように、弾性部材６の一端部は、テンプル本体３のボス部３２に連結され、弾性部材６の他端部は、ボス部３２よりも前方に位置し、挿入孔４１に面した先セル部４の内周面部の前端部に連結されている。この弾性部材６は、自然長が挿通孔４１の前後方向の長さより長く、従って、弾性部材６には、常時伸張力が働いている。そのため、弾性部材６によって、ボス部３２は後方に、先セル部４の内周面部の前端部は前方に常時押圧されている。このように、ボス部３２が後方に押圧され、先セル部４の内周面部の前端部が前方に押圧されることで、テンプル本体３が後方に、先セル部４が前方に引っ張られ、テンプル本体３に連結された前枠２と先セル部４とが互いに引き合うように連結される。弾性部材６は、特に限定されるものでなく、本実施形態では、つる巻きバネが用いられている。また、弾性部材６の一端部は、テンプル本体３のどの部位に連結されてもよく、弾性部材６の他端部は、一端部が連結される部位よりも前方であれば、先セル部４のどの部位に連結されてもよい。
【００２９】
以上の構成の眼鏡フレーム１の装着について説明する。図３は、眼鏡フレーム１の装着の方法を説明する説明図である。尚、図３においては、テンプル本体３と先セル部４との連結部位を他の部位よりも拡大して示している。眼鏡フレーム１を装着する場合は、まず、図３（ａ）に示すように、装着者の耳Ｅの裏側に先セル部４を引っ掛け、前枠２が装着者の鼻Ｎの前方に位置するように、前枠２又はテンプル本体３を前方（図３（ａ）の矢印Ｆ方向）に引っ張る。前枠２又はテンプル本体３を前方に引っ張ると、図３（ａ）に示すように、弾性部材６の伸長力に抗してボス部３２が前方に移動する。ボス部３２が前方に移動すると、ボス部３２の移動に伴い雄ネジ７も前方に移動する。次に、図３（ｂ）に示すように、前枠２又はテンプル本体３に加える前方への力を弱めて、弾性部材６の伸張力によって、前枠２及びテンプル本体３を後方に移動させて、鼻パッド２４を鼻Ｎに当接させる。これにより、鼻パッド２４が鼻Ｎに当接し、眼鏡フレーム１は、装着者の鼻Ｎと耳Ｅとによって支持される。次に、図３（ｃ）に示すように、雄ネジ７を締め付けて、先セル部４に対するテンプル本体３の前後方向の移動を阻止する。これにより眼鏡フレーム１の装着が完了する。
【００３０】
このように、鼻パッド２４が鼻Ｎに当接し、先セル部４が耳の裏側に掛かった状態で先セル部４に対するテンプル本体３の前後方向の移動を阻止すると、鼻パッド２４は鼻に当接した状態から後方に、先セル部４は耳の裏側に掛かった状態から前方に移動しようとしなくなる。そのため、鼻パッド２４が後方に移動しようとすることによって鼻Ｎが押さえ付けられず、先セル部４が前方に移動しようとすることによって耳Ｅの裏側が押さえ付けられなくなる。従って、本実施形態に係る眼鏡フレーム１は、先セル部４が前方に移動しようとすることにより、耳Ｅの裏側が押さえ付けられないので、装着時に耳Ｅに感じる痛みが少ない。
【００３１】
前述のように、本実施形態の眼鏡フレーム１は、装着者の耳Ｅの裏側に先セル部４を引っ掛け、前枠２又はテンプル本体３を前方に引っ張って、鼻パッド２４を鼻Ｎに当接させ装着することができる。前枠２又はテンプル本体３を前方に引っ張ったときに、先セル部４に前方への力が加わるが、先セル部４は、装着者の耳Ｅの裏側の下方まで回り込むような形状とされている。そのため、本実施形態の眼鏡フレーム１は、装着の際に前枠２又はテンプル本体３を前方に引っ張った時に、先セル部４１が装着者の耳Ｅから前方に容易に抜ける恐れが少ない。
【００３２】
（実施形態２）
図４は本実施形態に係る眼鏡フレーム１Ａの外観図であり、（ａ）は側面図を、（ｂ）は平面図を示す。眼鏡フレーム１Ａは、前枠２Ａと、テンプル本体３Ａ及び先セル部４Ａを有するテンプル５Ａと、弾性部材６Ａと、固定部材８Ａとを備えている。前枠２Ａは、実施形態１に係る眼鏡フレーム１の前枠２と同一構成である。
【００３３】
本実施形態に係る眼鏡フレーム１Ａのテンプル本体３Ａは、実施形態１に係るテンプル本体３と同様に、前端部が丁番構造２６Ａを介してヨロイ２５Ａに対して連結されている。テンプル本体３Ａは、このように連結されることで、前枠２Ａの後方に位置し、前枠２Ａ及びヨロイ２５Ａに対して回動自在とされている。図５は本実施形態に係る眼鏡フレーム１Ａの構成を説明する図であり、（ａ）は図４（ｂ）のＢ―Ｂ断面図を、図５（ｂ）は図４（ｂ）の点線Ｑで囲まれた部位の平面拡大図を、図５（ｃ）は固定部材８Ａを取り除いた図４（ｂ）の点線Ｑで囲まれた部位の平面拡大図を、図５（ｄ）は固定部材８Ａの平面図を示す。図５（ａ）に示すように、テンプル本体３Ａは、細長部材３１Ａとボス部３２Ａとこのボス部３２Ａの上部に形成された円筒状の係合部３４Ａとを備えている。細長部材３１Ａは実施形態１に係る細長部材３１と同一の構成である。
【００３４】
図５（ｃ）に示すように、先セル部４Ａは、挿通孔４１Ａとスリット４２Ａと溝４３Ａとを有している。挿通孔４１Ａ及びスリット４２Ａは、実施形態１の挿通孔４１及びスリット４２Ａと同一の構成である。尚、スリット４２Ａは、テンプル３Ａの係合部３４Ａが上下方向に貫通している。そして、スリット４２Ａの幅は、この係合部３４Ａがスリット４２Ａ内を移動可能なように、係合部３４Ａの径より大きく形成されている。溝４３Ａは、先セル部４Ａの外周面の挿入孔４１の径外方向部分に、周方向全体に亘って形成されている。
【００３５】
弾性部材６Ａは、実施形態１に係る弾性部材６と同一の構成である。即ち、弾性部材６は、自然長より縮んだ状態で、一端部が、ボス部３２Ａに連結され、他端部が、ボス部３２Ａよりも前方に位置し、挿入孔４１Ａに面した先セル部４Ａの内周面部の前端部に連結されている。
【００３６】
固定部材８Ａは、図５（ｄ）に示すように、前後方向における複数の異なる位置に設けられ、テンプル本体３Ａを固定するための固定部８１Ａを具備している。かかる固定部材８Ａは、先セル部４Ａに形成された溝４３Ａに内周面が嵌り込む円筒状に形成されている。固定部材８Ａは、溝４３Ａに嵌り込んだ状態で先セル部４Ａの外周面に沿って回転可能に先セル部４Ａに取り付けられている。このように、固定部材８Ａは、溝４３Ａに嵌り込んだ状態で先セル部４に取り付けられているので、先セル部４Ａに対する前後方向の移動が阻止されている。固定部材８Ａに具備される固定部８１Ａは、固定部材８Ａの外周面と内周面とを貫通し、周方向に長い貫通孔によって形成されている。かかる固定部８１Ａは、前後方向における異なる位置に複数個（本実施形態では、図５（ｄ）に示すように６個）形成されている。更に、固定部材８Ａには、各固定部８１Ａを繋げる連通部８２Ａが具備されている。連通部８２Ａは、固定部材８Ａの外周面と内周面とを貫通し、前後方向に長い貫通孔によって形成されている。固定部材８Ａが先セル部４Ａに取り付けられた状態では、固定部８１Ａ又は連通部８２Ａには、テンプル本体３Ａの係合部３４Ａが上下方向に貫通し、固定部８１Ａ及び連通部８２Ａの幅は、固定部８１Ａ及び連通部８２Ａ内をこの係合部３４Ａが移動可能なように、係合部３４Ａの径より大きく形成されている。
【００３７】
以上の構成の本実施形態に係る眼鏡フレーム１Ａの装着について説明する。まず、固定部材８Ａを先セル部４Ａの外周面に沿って回転させて、図５（ｂ）に示すように、先セル部４Ａのスリット４２Ａ上に固定部材８Ａの連通部８２Ａを位置させる。これにより、テンプル３Ａの係合部３４Ａは、スリット４２Ａ及び連通部８２Ａを上下方向に貫通し、スリット４２Ａ及び連通部８２Ａに沿って前後方向に移動することができるようになる。続いて、実施形態１に係る眼鏡フレーム１の装着と同様にして、装着者の耳の裏側に先セル部４Ａを引っ掛け、前枠２Ａ及びテンプル本体３Ａを前方に引っ張って、鼻パッド２４Ａを鼻に当接させる。図６は眼鏡フレーム１Ａの装着の方法を説明する説明図であり、（ａ）は装着中の眼鏡フレームの状態を、（ｂ）は装着完了後の眼鏡フレーム１Ａの状態を示す図である。前枠２Ａ及びテンプル本体３Ａを前方に引っ張って鼻パッド２４Ａを鼻に当接させると、図６（ａ）に示すように、ボス部３２Ａが弾性部材６Ａの伸長力に構成して前方に移動する。そして、鼻パッド２４Ａを鼻に当接させて眼鏡フレーム１Ａを装着者の鼻と耳とで支持させた後、図６（ｂ）に示すように、固定部材８Ａを先セル部４Ａの外周面に沿って（矢印Ｍ方向に）回転させて、固定部材８Ａの複数の固定部８１Ａのうち、係合部３４Ａから最も近い位置にある固定部８１Ａ内に係合部３４Ａを位置させる。
【００３８】
前述のように、固定部材８Ａは、先セル部４Ａに対して前後方向の移動が阻止されている。従って、係合部３４Ａを固定部８１Ａ内に位置させると、固定部８１Ａによって、係合部３４Ａの先セル部４Ａに対する前後方向の移動が阻止される。つまり、係合部３４Ａを備えるテンプル本体３Ａの先セル部４Ａに対する前後方向の移動が阻止される。鼻パッド２４Ａが鼻に当接し、先セル部４Ａが耳の裏側に掛かった状態で、テンプル本体３Ａの先セル部４Ａに対する前後方向の移動が阻止されると、実施形態１に記載したように、弾性部材６Ａの伸張力によって、鼻パッド２４Ａは鼻に当接した状態から後方に、先セル部４Ａは耳の裏側に掛かった状態から前方に移動しようとしなくなる。従って、本実施形態に係る眼鏡フレーム１Ａは、実施形態１に係る眼鏡フレーム１と同様に、装着時に耳に感じる痛みが少ない。また、本実施形態に係る眼鏡フレーム１Ａにおいては、装着者の鼻と耳とに支持された後、固定部材８Ａを回転させるだけで、テンプル本体３Ａの先セル部４Ａに対する移動を阻止できるため、テンプル本体３Ａの先セル部４Ａに対する固定を容易に行うことができる。
【００３９】
尚、係合部３４Ａを位置させる固定部８１Ａは、状況に応じて適宜変更することもできる。例えば、スポーツ等をする際などの眼鏡フレーム１Ａが取り外れ易い状況においては、テンプル５Ａを短目にして、鼻パッド２４Ａが鼻を、先セル部４Ａが耳の裏側を強く押さえ付けるようにしてもよい。テンプル５Ａを短目にする場合は、眼鏡フレーム１Ａを鼻と耳とで支持させた後、前枠２Ａ又はテンプル本体３Ａを手で後方に押し込んで、テンプル本体３Ａを先セル部４Ａに対して後方に移動させてテンプル５Ａを短くして、通常使用する固定部８１Ａよりも後ろ側の固定部８１Ａ内に係合部３４Ａを位置させるようにする。
【００４０】
また、固定部材８Ａが具備する固定部８１Ａは、本実施形態のように、連通部８２Ａの片側にのみ形成させる構成に限らず、例えば、図７に示すように、連通部８２Ａの両側に形成してもよい。両側に形成する場合は、連通部８２Ａの一方側の固定部８１Ａと、他方側の固定部８１Ａとの前後方向の位置をずらすようにすることが好ましい。前後方向にずらすことで、テンプル５の長さをより細かく調整することができる。
【００４１】
（実施形態３）
本実施形態に係る眼鏡フレームは、前枠と、テンプル本体及び先セル部を有するテンプルと、弾性部材と、固定部材とを備えている。前枠は、実施形態１に係る前枠２と同一構成である。
【００４２】
本実施形態に係る眼鏡フレームのテンプル本体は、実施形態１に係るテンプル本体３と同様に、前端部が丁番構造を介してヨロイに対して連結されている。テンプル本体は、このように連結されることで、前枠の後方に位置し、前枠及びヨロイに対して回動自在とされている。図８は本実施形態に係る眼鏡フレーム１Ｂのテンプル本体３Ｂと先セル部４Ｂとの連結部位の拡大断面図である。図８に示すように、テンプル本体３Ｂは、後端部から前方に延びる挿入孔３５Ｂを内側に有している。かかる挿入孔３５Ｂは、後端部が開口され、前端部において径が小さく形成されている。更に、テンプル本体３Ｂは、テンプル本体３Ｂの上方と挿通孔３５Ｂとを連通するスリット３６Ｂが挿通孔３５Ｂの上部に形成されている。かかるスリット３６Ｂは、挿通孔３５Ｂの後端部近傍から、挿通孔３５Ｂの前端部にかけて前後方向に長く形成されている。
【００４３】
先セル部４Ｂは、テンプル本体３Ｂが有する挿入孔３５Ｂに前後方向移動可能に前部が挿入されている。先セル部４Ｂは、装着者の耳の裏側に沿って下方に湾曲した湾曲部４３Ｂと、湾曲部４３Ｂから前方に延出された細長部材４４Ｂと、細長部材４４Ｂの前端部に取り付けられたボス部４５Ｂと、ボス部４５Ｂの上部に形成されたネジ孔４６Ｂとを備える。細長部材４４Ｂの前部とボス部４５Ｂとは挿入孔３５Ｂに挿入されている。湾曲部４３Ｂは、装着者の耳の裏側の下方まで回り込むような形状とされている。そのため、先セル部４が前方に引っ張られても、先セル部４は装着者の耳から前方に容易に抜けないようになっている。細長部材４４Ｂの径は、挿入孔３５Ｂの前端部の径より小さく、ボス部４５Ｂの径は、挿入孔３５Ｂの前端部の径より大きく形成されている。ボス部４５Ｂの径が、挿入孔３５Ｂの前端部の径より大きく形成されていることで、先セル部４Ｂが挿通孔３５Ｂから抜けることが防止されている。
【００４４】
固定部材７Ｂは、先セル部４Ｂをテンプル本体３Ｂに固定して、先セル部４Ｂの前後方向の移動を阻止するものである。固定部材７Ｂは、実施形態１と同様に、雄ネジ７Ｂによって構成されている。この雄ネジ７Ｂは、頭部７１Ｂがスリット３６Ｂの上方に位置し、ネジ溝が形成された先端部７２Ｂは、スリット３６Ｂを貫通して、先セル部４Ｂのネジ孔４６Ｂと螺合している。雄ネジ７Ｂの先端部７２Ｂの径は、スリット３６Ｂの幅より小さく形成されている。先端部７２Ｂの径がスリット３６Ｂの幅より小さく形成されていることで、雄ネジ７Ｂは、先端部７２Ｂが螺合するネジ孔４６Ｂを有する先セル部４Ｂの移動に伴って、前後方向に移動することができる。また、雄ネジ７Ｂの頭部７１Ｂの径は、スリット３６Ｂの幅より大きく形成されている。よって、この雄ネジ７Ｂを締め付けると、雄ネジ７Ｂの頭部７１Ｂがテンプル本体３Ｂの上面を押圧することで、雄ネジ７と先セル部４とが固定され、先セル部４Ｂのテンプル本体３Ｂに対する前後方向の移動を阻止することができる。
【００４５】
弾性部材６Ｂは、一端部が、先セル部４Ｂのボス部４５Ｂに連結され、他端部が、ボス部４５Ｂよりも後方に位置し、挿入孔３５Ｂに面したテンプル本体３Ｂの内周面部の後端部に連結されている。この弾性部材６Ｂは、自然長が挿通孔３５Ｂの前後方向の長さより長く、従って、弾性部材６Ｂには、常時伸張力が働いている。よって、弾性部材６Ｂによって、ボス部４５Ｂは前方に、テンプル本体３Ｂの内周面部の後端部は後方に常時押圧されている。このように、ボス部４５Ｂが前方に押圧され、テンプル本体３Ｂの内周面部の後端部が後方に押圧されていると、テンプル本体３が後方に、先セル部４が前方に押圧されて、テンプル本体３に連結された前枠２と先セル部４とが互いに引き合うように連結される。弾性部材６Ｂは、特に限定されるものでなく、本実施形態では、つる巻きバネが用いられている。尚、弾性部材６Ｂの一端部は、先セル部４Ｂのどの部位に連結されてもよく、弾性部材６Ｂの他端部は、一端部が連結される部位よりも後方であれば、テンプル本体４Ｂのどの部位に連結されてもよい。
【００４６】
以上の構成の眼鏡フレーム１Ｂの装着について説明する。眼鏡フレーム１Ｂの装着は、実施形態１と同様に、まず、装着者の耳の裏側に先セル部４Ｂの湾曲部４３Ｂを引っ掛け、前枠の鼻パッドを装着者の鼻に当接させるために前枠及びテンプル本体３Ｂを前方に引っ張る。前枠又はテンプル本体３Ｂを前方に引っ張ると、先セル部４Ｂに備えられたボス部４５Ｂはテンプル３Ｂに対して相対的に後方に移動することになる。そして、ボス部４５Ｂがテンプル３Ｂに対して相対的に後方に移動すると、ボス部４５Ｂの移動に伴い雄ネジ７Ｂもテンプル本体３Ｂに対して相対的に後方に移動する。次に、前枠又はテンプル本体３Ｂに加える前方への力を弱めて、弾性部材６Ｂの伸張力によって、前枠及びテンプル本体３Ｂを後方に移動させて、鼻パッドを前方から鼻に当接させる。鼻パッドが鼻に当接すると、眼鏡フレーム１Ｂが装着者の鼻と耳とによって支持される。次に、雄ネジ７Ｂを締め付け、先セル部４Ｂのテンプル本体３Ｂに対する前後方向の移動を阻止する。これにより眼鏡フレーム１Ｂの装着が完了する。
【００４７】
このように、鼻パッドが鼻に当接し、先セル部４Ｂの湾曲部４３Ｂが耳の裏側に掛かった状態で先セル部４Ｂのテンプル本体３Ｂに対する前後方向の移動が阻止されると、実施形態１に記載したように、弾性部材６Ｂの伸張力によって、鼻パッドは鼻に当接した状態から後方に、先セル部４Ｂは耳の裏側に掛かった状態から前方に移動しようとしなくなる。従って、本実施形態に係る眼鏡フレーム１Ｂは、実施形態１に係る眼鏡フレーム１と同様に、装着時に耳Ｅに感じる痛みが少ない。
【００４８】
尚、先セル部４Ｂの湾曲部４３Ｂは、実施形態１の先セル部４Ｂと同様に、装着者の耳の裏側の下方まで回り込むような形状とされている。そのため、本実施形態の眼鏡フレーム１Ｂは、装着の際に前枠又はテンプル本体３Ｂを前方に引っ張った時に、先セル部４１が装着者の耳から前方に容易に抜ける恐れが少ない。
【００４９】
（実施形態４）
本実施形態の眼鏡フレームは、前枠と、テンプル本体及び先セル部を有するテンプルと、弾性部材と、固定部材とを備えている。前枠は、実施形態１に係る眼鏡フレーム１の前枠２と同一構成である。
【００５０】
本実施形態に係る眼鏡フレームのテンプル本体は、実施形態１に係るテンプル本体３と同様に、前端部が丁番構造を介してヨロイに対して連結されている。テンプル本体は、このように連結されることで、前枠の後方に位置し、前枠及びヨロイに対して回動自在とされている。図９は、本実施形態に係る眼鏡フレーム１Ｃのテンプル本体３Ｃと先セル部４Ｃとの連結部位の拡大断面図である。図９に示すように、テンプル本体３Ｃは、挿入孔３５Ｃと、スリット３６Ｃと、溝３７Ｃとを備える。挿入孔３５Ｃ及びスリット３６Ｃは、実施形態３に係る挿入孔３５Ｂ及びスリット３６Ｂと同一の構成である。溝３７Ｃは、テンプル本体３Ｃの外周面の挿入孔３５Ｃの径外方向部分に、周方向全体に亘って形成されている。
【００５１】
先セル部４Ｃは、テンプル本体３Ｃが有する挿入孔３５Ｃに前後方向移動可能に前部が挿入されている。先セル部４Ｃは、湾曲部４３Ｃと、細長部材４４Ｃと、ボス部４５Ｃと、このボス部４５Ｃの上部に形成された円筒状の係合部４７とを有している。湾曲部４３Ｃと、細長部材４４Ｃとは、実施形態３に係る湾曲部４３Ｃと、細長部材４４Ｃと同一の構成である。係合部４７Ｃは、テンプル本体３Ｃに形成されたスリット３６Ｃを上下に貫通している。係合部４７Ｃの径は、スリット３６Ｃ内を移動移動可能なように、スリット３６Ｃの幅よりも小さく形成されている。
【００５２】
弾性部材６Ｃは、実施形態３に係る弾性部材６Ｂと同一の構成である。即ち、図９に示すように、弾性部材６Ｃの一端部は、先セル部４Ｂのボス部４５Ｂに連結され、他端部は、ボス部４５Ｂよりも後方に位置し、挿入孔３５Ｂに面したテンプル本体３Ｂの内周面部の後端部に連結されている。
【００５３】
固定部材８Ｃは、テンプル本体３に形成された溝３７Ｃに嵌り込んだ状態で、テンプル本体３Ｃの外周面に沿って回転可能にテンプル本体３Ｃに取り付けられている。このように、固定部材８Ｃは、溝３７Ｃに嵌り込んだ状態でテンプル本体３Ｃに取り付けられているので、テンプル本体３Ｃに対する前後方向の移動が阻止されている。固定部材３Ｃは、内周面がテンプル本体３Ｃに形成された溝３７Ｃに嵌り込む大きさに形成されている点を除いて、実施形態２に係る固定部材８Ａと同一の構成をしている。
【００５４】
以上の構成の本実施形態に係る眼鏡フレーム１Ｃの装着について説明する。まず、実施形態２に係る眼鏡フレーム１Ａと同様に、テンプル本体３Ｃのスリット３６Ｃ上に固定部材８Ｃの連通部８２Ｃを位置させる。続いて、実施形態３に係る眼鏡フレーム１Ｂと同様に、装着者の耳の裏側に先セル部４Ｃの湾曲部４３Ｃを引っ掛け、前枠及びテンプル本体３Ｃを前方に引っ張る。前枠又はテンプル本体３Ｃを前方に引っ張ると、先セル部４Ｂに備えられた係合部４７Ｃはテンプル３Ｃに対して相対的に後方に移動することになる。次に、前枠又はテンプル本体３Ｃに加える前方への力を弱めて、前枠及びテンプル本体３Ｃを後方に移動させて、鼻パッドを前方から鼻に当接させる。鼻パッドが鼻に当接すると、眼鏡フレーム１Ｂが装着者の鼻と耳とによって支持される。次に、固定部材８Ｃをテンプル本体３Ｃの外周面に沿って回転させて、固定部材８Ｃの複数の固定部８１Ｃのうち、係合部４７Ｃから最も近い位置にある固定部８１Ｃ内に係合部４７Ｃを位置させる。
【００５５】
前述のように、固定部材８Ｃは、テンプル本体３Ｃに対して前後方向の移動が阻止されている。従って、係合部４７Ｃを固定部８１Ｃ内に位置させると、固定部８１Ｃによって、係合部４７Ｃのテンプル本体３Ｃに対する前後方向の移動が阻止される。つまり、係合部４７Ｃを備える先セル部４Ｃのテンプル本体３Ｃに対する前後方向の移動が阻止される。鼻パッド２４が鼻に当接し、先セル部４Ｃの湾曲部４３Ｃが耳の裏側に掛かった状態で先セル部４Ｃのテンプル本体３Ｃに対する前後方向の移動が阻止されると、実施形態１に記載したように、弾性部材６Ｃの伸張力によって、鼻パッドは鼻に当接した状態から後方に、先セル部４Ｃの湾曲部４３Ｃは耳の裏側に掛かった状態から前方に移動しようとしなくなる。従って、本実施形態に係る眼鏡フレーム１Ｃは、実施形態１に係る眼鏡フレーム１と同様に、装着時に耳に感じる痛みが少ない。また、本実施形態に係る眼鏡フレーム１Ｃは、装着者の鼻と耳とに支持された後、固定部材８Ａを回転させるだけで、テンプル本体３Ａの先セル部４Ａに対する移動を阻止できるため、テンプル本体３Ａの先セル部４Ａに対する固定を容易に行うことができる。
【００５６】
上記の実施形態１〜４においては、弾性部材の伸張力によって、前枠と先セル部とが互いに引き合うようにテンプル本体と先セル部とが連結されているが、この連結に弾性部材の収縮力を用いてもよい。
【００５７】
図１０（ａ）は、実施形態１に係る眼鏡フレームにおいて、弾性部材６の収縮力によって前枠２と先セル部４とが互いに引き合うように連結する構成を採った場合のテンプル本体３と先セル部４との連結部位の断面図である。図１０（ａ）に示すように、弾性部材６は、眼鏡フレーム１が装着された時において、自然長より伸びた状態となるようにテンプル本体３と先セル部４とを連結している。弾性部材６の一端部は、テンプル本体３のボス部３２に連結され、弾性部材６の他端部は、ボス部３２よりも後方に位置し、挿通孔４１の後端部に面した先セル部４の内周面部に連結されている。このような構成においては、眼鏡フレーム１が装着された時は、弾性部材６は自然長より伸びているため、弾性部材６に収縮力が働く。よって、弾性部材６の一端部が連結されたテンプル本体３のボス部３２は後方に引っ張られ、弾性部材６の他端部が連結された先セル部４の挿通孔４１の後端部に面した内周面部は前方に引っ張られる。その結果、テンプル本体３は後方に、先セル部４は前方に引っ張られ、テンプル本体３に連結された前枠２と先セル部４とは互いに引き合うように連結される。
【００５８】
尚、実施形態２に係る眼鏡フレームにおいて、弾性部材６Ａの収縮力によって前枠２Ａと先セル部４Ａとが互いに引き合うように連結する構成は、弾性部材６Ａの一端部をテンプル本体３Ａのボス部３２Ａに連結し、弾性部材６Ａの他端部をボス部３２Ａよりも後方に位置し、挿通孔４１Ａの後端部に面した先セル部４Ａの内周面部に連結することで、実現することができる。
【００５９】
図１０（ｂ）は、実施形態３に係る眼鏡フレーム１Ｂにおいて、弾性部材６Ｂの収縮力によって前枠と先セル部４Ｂとが互いに引き合うように連結する構成を採った場合のテンプル本体３Ｂと先セル部４Ｂとの連結部位の断面図である。図１０（ｂ）に示すように、弾性部材６Ｂは、眼鏡フレーム１Ｂが装着された時において、自然長より伸びた状態となるようにテンプル本体３Ｂと先セル部３Ｂとを連結している。弾性部材６Ｂの一端は、先セル部４Ｂのボス部４５Ｂに連結され、弾性部材６Ｂの他端は、ボス部４５Ｂよりも前方に位置し、挿通孔３５Ｂの前端部に面したテンプル本体３Ｂの内周面部に連結されている。このような構成においては、眼鏡フレーム１Ｂが装着された時は、弾性部材６Ｂは自然長より伸びているため、弾性部材６Ｂに収縮力が働く。よって、弾性部材６Ｂの一端が連結された先セル部４Ｂのボス部４５Ｂは前方に引っ張られ、弾性部材６Ｂの他端が連結されたテンプル本体３Ｂの挿通孔３５Ｂの前端部に面した内周面部は前方に引っ張られる。その結果、テンプル本体３Ｂは後方に、先セル部４Ｂは前方に引っ張られ、テンプル本体３Ｂに連結された前枠と先セル部４Ｂとは互いに引き合うように連結される。
【００６０】
尚、実施形態４に係る眼鏡フレーム１Ｃにおいて、弾性部材６Ｃの収縮力によって前枠と先セル部４Ｃとが互いに引き合うように連結する構成は、弾性部材６Ｃの一端部を先セル部４Ｃのボス部４５Ｃに連結し、弾性部材６Ｃの他端部を先セル部４Ｃのボス部４５Ｃよりも前方に位置し、挿通孔３５Ｃの前端部に面したテンプル本体３Ｃの内周面部に連結することで、実現することができる。
【図面の簡単な説明】
【００６１】
【図１】図１は実施形態１に係る眼鏡フレームの外観図であり、（ａ）は側面図を示し、（ｂ）は平面図を示す。
【図２】図２はテンプル本体と先セル部との連結部位の拡大図であり、（ａ）は図１（ｂ）のＡ−Ａ断面図を、（ｂ）は図１（ｂ）の点線Ｐで囲まれた部位の拡大平面図を示す。
【図３】図３は眼鏡フレームの装着の方法を説明する説明図であり、（ａ）及び（ｂ）は装着中の眼鏡フレームの状態を、（ｃ）は装着完了後の眼鏡フレームの状態を示す図である。
【図４】図４は実施形態２に係る眼鏡フレーム１Ａの外観図であり、（ａ）は側面図を、（ｂ）は平面図を示す。
【図５】図５は実施形態２に係る眼鏡フレームの構成を説明する図であり、（ａ）は図４（ｂ）のＢ―Ｂ断面図を、図５（ｂ）は図４（ｂ）の点線Ｑで囲まれた部位の平面拡大図を、図５（ｃ）は固定部材を取り除いた図４（ｂ）の点線Ｑで囲まれた部位の平面拡大図を、図５（ｄ）は固定部材の平面図を示す。
【図６】図６は実施形態２に係る眼鏡フレームの装着の方法を説明する説明図であり、（ａ）は装着中の眼鏡フレームの状態を、（ｂ）は装着完了後の眼鏡フレームの状態を示す図である。
【図７】図７は変形例の固定部材の平面図である。
【図８】図８は実施形態３に係る眼鏡フレームのテンプル本体と先セル部との連結部位の拡大断面図である。
【図９】図９は実施形態４に係る眼鏡フレームのテンプル本体と先セル部との連結部位の拡大断面図である。
【図１０】図１０は、テンプル本体と先セル部とを連結する構成の変形例を示した図であり、（ａ）は実施形態１に係る、（ｂ）は実施形態３に係る眼鏡フレームのテンプル本体と先セル部とを連結する構成の変形例を示す。
【符号の説明】
【００６２】
１、１Ａ、１Ｂ、１Ｃ…眼鏡フレーム、  ２、２Ａ…前枠、  ３、３Ａ、３Ｂ、３Ｃ・・・テンプル本体、  ４、４Ａ、４Ｂ、４Ｃ…先セル部、  ６、６Ａ、６Ｂ、６Ｃ…弾性部材、  ７、７Ｂ、８Ａ、８Ｃ・・・固定部材
【図１】
2008129560.tif 000003
【図２】
2008129560.tif 000004
【図３】
2008129560.tif 000005
【図４】
2008129560.tif 000006
【図５】
2008129560.tif 000007
【図６】
2008129560.tif 000008
【図７】
2008129560.tif 000009
【図８】
2008129560.tif 000010
【図９】
2008129560.tif 000011
【図１０】
2008129560.tif 000012
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
前枠と、
前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、
前記前枠と前記先セル部とが前後方向に互いに引き合うように、前記テンプル本体及び前記先セル部を連結する弾性部材と、
前記テンプル本体を前記先セル部に固定して、前記テンプル本体の前後方向の移動を阻止する固定部材とを備え、
前記テンプル本体は、ボス部と、該ボス部に形成されたネジ孔とを備え、
前記弾性部材の一端部は、前記ボス部に連結され、前記弾性部材の他端部は、前記ボス部よりも前方又は後方の、前記挿入孔に面した前記先セル部の内周面部に連結され、
前記固定部材は、前記ネジ孔と螺合し、締め付けると、前記先セル部と固定される雄ネジで構成されていることを特徴とする眼鏡フレーム。
【請求項２】
前枠と、
前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、
前記前枠と前記先セル部とが前後方向に互いに引き合うように、前記テンプル本体及び前記先セル部を連結する弾性部材と、
前記テンプル本体を前記先セル部に固定して、前記テンプル本体の前後方向の移動を阻止する固定部材とを備え、
前記固定部材は、前後方向における複数の異なる位置に設けられ、前記テンプル本体を固定するための固定部を具備することを特徴とする眼鏡フレーム。
【請求項３】
前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置することを特徴とする請求項２に記載の眼鏡フレーム。
【請求項４】
前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置することを特徴とする請求項２に記載の眼鏡フレーム。
【請求項５】
前枠と、
後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、
前記前枠及び前記先セル部とが前後方向に互いに引き合うように、前記テンプル本体及び前記先セル部を連結する弾性部材と、
前記先セル部を前記テンプル本体に固定して、前記先セル部の前後方向の移動を阻止する固定部材とを備え、
前記先セル部は、ボス部と、該ボス部に形成されたネジ孔とを備え、
前記弾性部材の一端部は、前記ボス部に連結され、前記弾性部材の他端部は、前記ボス部よりも前方又は後方の、前記挿入孔に面したテンプル本体の内周面部に連結され、
前記固定部材は、前記ネジ孔と螺合し、締め付けると、前記テンプル本体と固定される雄ネジで構成されていることを特徴とする眼鏡フレーム。
【請求項６】
前枠と、
後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、
前記前枠及び前記先セル部とが前後方向に互いに引き合うように、前記テンプル本体及び前記先セル部を連結する弾性部材と、
前記先セル部を前記テンプル本体に固定して、前記先セル部の前後方向の移動を阻止する固定部材とを備え、
前記固定部材は、前後方向における複数の異なる位置に設けられ、前記先セル部を固定するための固定部を具備することを特徴とする眼鏡フレーム。
【請求項７】
前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置することを特徴とする請求項６に記載の眼鏡フレーム。
【請求項８】
前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置することを特徴とする請求項６に記載の眼鏡フレーム。
【手続補正２】
【補正対象書類名】明細書
【補正対象項目名】０００５
【補正方法】変更
【補正の内容】
【０００５】
前記課題を解決するべく、本発明は、第１の手段として、前枠と、前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、前記前枠と前記先セル部とが前後方向に互いに引き合うように、前記テンプル本体及び前記先セル部を連結する弾性部材と、前記テンプル本体を前記先セル部に固定して、前記テンプル本体の前後方向の移動を阻止する固定部材とを備え、前記テンプル本体は、ボス部と、該ボス部に形成されたネジ孔とを備え、前記弾性部材の一端部は、前記ボス部に連結され、前記弾性部材の他端部は、前記ボス部よりも前方又は後方の、前記挿入孔に面した前記先セル部の内周面部に連結され、前記固定部材は、前記ネジ孔と螺合し、締め付けると、前記先セル部と固定される雄ネジで構成されていることを特徴とする眼鏡フレームを提供する。
【手続補正３】
【補正対象書類名】明細書
【補正対象項目名】０００７
【補正方法】変更
【補正の内容】
【０００７】
本発明は、第２の手段として、前枠と、前記前枠に連結されるテンプル本体、及び、前端部から後方に延びる挿入孔を内側に有し、且つ、前記テンプル本体の後部が前記挿入孔に前後方向移動可能に挿入される先セル部を有するテンプルと、前記前枠と前記先セル部とが前後方向に互いに引き合うように、前記テンプル本体及び前記先セル部を連結する弾性部材と、前記テンプル本体を前記先セル部に固定して、前記テンプル本体の前後方向の移動を阻止する固定部材とを備え、前記固定部材は、前後方向における複数の異なる位置に設けられ、前記テンプル本体を固定するための固定部を具備することを特徴とする眼鏡フレームを提供する。
【手続補正４】
【補正対象書類名】明細書
【補正対象項目名】０００８
【補正方法】変更
【補正の内容】
【０００８】
第２の手段として提供される眼鏡フレームによれば、固定部材には、前後方向における複数の異なる位置に固定部が具備されている。よって、前枠を顔面に当接させ、先セル部を耳の裏側に掛かけて眼鏡フレームを装着したときに、テンプル本体の前後位置に対応した固定部に先セル部を固定することで、前枠が顔面に当接した状態から先セル部側に、先セル部が耳の裏側に掛かった状態から前枠側に移動することを阻止することができる。
【手続補正５】
【補正対象書類名】明細書
【補正対象項目名】０００９
【補正方法】変更
【補正の内容】
【０００９】
第２の手段として提供される眼鏡フレームにおけるテンプル本体と先セル部との連結の具体的構成として、前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置する構成を挙げることができる。
【手続補正６】
【補正対象書類名】明細書
【補正対象項目名】００１１
【補正方法】変更
【補正の内容】
【００１１】
また、第２の手段として提供される眼鏡フレームにおけるテンプル本体と先セル部との連結の他の具体的構成として、前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置する構成を挙げることができる。
【手続補正７】
【補正対象書類名】明細書
【補正対象項目名】００１３
【補正方法】変更
【補正の内容】
【００１３】
本発明は、第３の手段として、前枠と、後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、前記前枠及び前記先セル部とが前後方向に互いに引き合うように、前記テンプル本体及び前記先セル部を連結する弾性部材と、前記先セル部を前記テンプル本体に固定して、前記先セル部の前後方向の移動を阻止する固定部材とを備え、前記先セル部は、ボス部と、該ボス部に形成されたネジ孔とを備え、前記弾性部材の一端部は、前記ボス部に連結され、前記弾性部材の他端部は、前記ボス部よりも前方又は後方の、前記挿入孔に面したテンプル本体の内周面部に連結され、前記固定部材は、前記ネジ孔と螺合し、締め付けると、前記テンプル本体と固定される雄ネジで構成されていることを特徴とする眼鏡フレームを提供する。
【手続補正８】
【補正対象書類名】明細書
【補正対象項目名】００１４
【補正方法】変更
【補正の内容】
【００１４】
第３の手段として提供される眼鏡フレームのテンプルは、テンプル本体と先セル部とを有し、テンプル本体は、先セル部が前後方向移動可能に挿入される挿入孔を有している。従って、テンプル本体と先セル部とは互いに前後方向移動可能とされている。また、テンプル本体と先セル部とは、弾性部材によって前枠と先セル部とが互いに引き合うように連結されている。従って、テンプル本体に連結された前枠は、弾性部材によってテンプル本体を介して先セル部側に、先セル部は、弾性部材によって前枠側に引っ張られている。更に、第３の手段として提供される眼鏡フレームは、先セル部をテンプル本体に固定して、先セル部の前後方向の移動を阻止する固定部材を備える。テンプル本体に対する先セル部の移動が阻止されると、テンプルに連結された前枠が先セル部側に、先セル部が前枠側に移動することが阻止される。よって、前枠を顔面の前面に当接させ、先セル部を耳の裏側に掛けて第３の手段として提供される眼鏡フレームを装着した後、固定部材で先セル部をテンプル本体に固定すると、前枠は、顔面に当接した状態から先セル部側に、先セル部は、耳の裏側に掛かった状態から前枠側に移動しなくなる。これにより、装着時において、前枠及び先セル部が互いに引き合うように引っ張られて移動しようとすることによって、鼻及び耳の裏側が押さえ付けられることを防止できる。そのため、第１の手段として提供される眼鏡フレームと同様に、第３の手段として提供される眼鏡フレームも、装着時に耳に感じる痛みが少ない。
【手続補正９】
【補正対象書類名】明細書
【補正対象項目名】００１５
【補正方法】変更
【補正の内容】
【００１５】
本発明は、第４の手段として、前枠と、後端部から前方に延びる挿入孔を内側に有し、且つ、前記前枠に連結されるテンプル本体、及び、前記テンプル本体が有する挿入孔に前後方向移動可能に前部が挿入される先セル部を有するテンプルと、前記前枠及び前記先セル部とが前後方向に互いに引き合うように、前記テンプル本体及び前記先セル部を連結する弾性部材と、前記先セル部を前記テンプル本体に固定して、前記先セル部の前後方向の移動を阻止する固定部材とを備え、前記固定部材は、前後方向における複数の異なる位置に設けられ、前記先セル部を固定するための固定部を具備することを特徴とする眼鏡フレームを提供する。
【手続補正１０】
【補正対象書類名】明細書
【補正対象項目名】００１６
【補正方法】変更
【補正の内容】
【００１６】
第４の手段として提供される眼鏡フレームによれば、固定部材には、前後方向における複数の異なる位置に固定部が具備されている。よって、前枠を顔面に当接させ、先セル部を耳の裏側に掛かけて眼鏡フレームを装着したときに、先セル部の前後位置に対応した固定部に先セル部を固定すると、前枠が顔面に当接した状態から先セル部側に、先セル部が耳の裏側に掛かった状態から前枠側に移動することを阻止することができる。
【手続補正１１】
【補正対象書類名】明細書
【補正対象項目名】００１７
【補正方法】変更
【補正の内容】
【００１７】
また、第４の手段として提供される眼鏡フレームにおけるテンプル本体と先セル部との連結の具体的構成として、前記弾性部材は、装着時において、自然長より縮んだ状態で前記テンプル本体と前記先セル部とを連結し、前記テンプル本体の前記弾性部材と連結される部位が、前記先セル部の前記弾性部材と連結される部位より後方に位置する構成を挙げることができる。
【手続補正１２】
【補正対象書類名】明細書
【補正対象項目名】００１８
【補正方法】変更
【補正の内容】
【００１８】
かかる具体的構成は、第２の手段として提供される眼鏡フレームに係る具体的構成と同様の作用によって、前枠と先セル部とが互いに引き合うように、テンプル本体及び先セル部を連結することを実現している。
【手続補正１３】
【補正対象書類名】明細書
【補正対象項目名】００１９
【補正方法】変更
【補正の内容】
【００１９】
また、第４の手段として提供される眼鏡フレームにおけるテンプル本体と先セル部との連結の他の具体的構成として、前記弾性部材は、装着時において、自然長より伸びた状態で前記テンプル本体と前記先セル部とを連結し、前記テンプル本体の前記弾性部材と連結される部位が、前記先セル部の前記弾性部材と連結される部位より前方に位置する構成を挙げることができる。
【手続補正１４】
【補正対象書類名】明細書
【補正対象項目名】００２０
【補正方法】変更
【補正の内容】
【００２０】
かかる具体的構成は、第２の手段として提供される眼鏡フレームに係る具体的構成と同様の作用によって、前枠と先セル部とが互いに引き合うように、テンプル本体及び先セル部を連結することを実現している。